(57)【要約】【課題】誤作動の発生を抑えつつ、利便性の向上を図ることのできる車両用開閉体制御装置を提供すること。【解決手段】ドアＥＣＵは、スライドドア１０の下方に形成された検出領域αに対する足操作入力を非接触で検出することにより、そのスライドドア１０を作動させる。具体的には、ドアＥＣＵは、足操作入力がなされたスライドドア１０（１１ｃ）の周辺を含んだ判定エリアβ（βｃ）内に操作権限を有した正規の乗員Ｐｘが位置する場合に、その足操作入力に基づいたスライドドア１０の作動を許可する。また、ドアＥＣＵは、正規の乗員Ｐｘによる許可操作を検出する。そして、ドアＥＣＵは、正規の乗員Ｐｘによる許可操作が検出された場合には、足操作入力がなされたスライドドア１０（１１ｄ）周辺の判定エリアβ（βｄ）内に正規の乗員Ｐｘが位置していない場合においても、その足操作入力に基づいたスライドドア１０の作動を許可する。【選択図】図３
2018178556.tif 000002
【特許請求の範囲】
【請求項１】
車両に設けられた開閉体の周辺に検出領域を有して前記開閉体を作動させるための操作入力を非接触で検出する操作入力検出部と、
前記操作入力に基づいて前記開閉体を作動させる作動制御部と、
前記操作入力がなされた前記開閉体の周辺を含んで設定された判定エリア内に操作権限を有した正規の乗員が位置するか否かを判定する乗員判定部と、
前記判定エリア内に前記正規の乗員が位置する場合に前記操作入力に基づいた前記開閉体の作動を許可する許可判定部と、を備えるとともに、
前記正規の乗員による許可操作を検出する許可操作検出部を備え、
前記許可判定部は、前記許可操作が検出された場合には、前記判定エリア内に前記正規の乗員が位置していない場合においても、前記操作入力に基づいた前記開閉体の作動を許可する車両用開閉体制御装置。
【請求項２】
請求項１に記載の車両用開閉体制御装置において、
前記許可判定部は、前記許可操作が検出された後、所定の許可時間内に前記操作入力が検出された場合に、該操作入力に基づいた前記開閉体の作動を許可すること、
を特徴とする車両用開閉体制御装置。
【請求項３】
請求項２に記載の車両用開閉体制御装置において、
前記正規の乗員による設定操作を検出する設定操作検出部を備え、
前記許可判定部は、前記設定操作に基づき前記許可時間を変更すること、
を特徴とする車両用開閉体制御装置。
【請求項４】
請求項１〜請求項３の何れか一項に記載の車両用開閉体制御装置において、
前記開閉体は、前記車両のドアであって、
前記検出領域は、前記ドアの下方に設定されること、
を特徴とする車両用開閉体制御装置。
【請求項５】
請求項１〜請求項４の何れか一項に記載の車両用開閉体制御装置において、
前記乗員判定部は、前記正規の乗員が保持する携帯機が前記判定エリア内にあることが検出された場合に、該判定エリア内に前記正規の乗員が位置すると判定すること、
を特徴とする車両用開閉体制御装置。
【請求項６】
請求項１〜請求項５の何れか一項に記載の車両用開閉体制御装置において、
前記乗員判定部は、前記操作入力がなされた前記開閉体を第１の開閉体とし、該第１の開閉体の周辺を含む前記判定エリアを第１の判定エリアとして、前記第１の開閉体とは異なる第２の開閉体の周辺を含んで設定された第２の判定エリア内に前記正規の乗員が位置するか否かを判定するとともに、前記許可操作検出部は、前記第２の判定エリア内に前記正規の乗員が位置する場合には、前記開閉体の許可操作を検出したとみなすこと、
を特徴とする車両用開閉体制御装置。
【発明の詳細な説明】
【技術分野】
【０００１】
本発明は、車両用開閉体制御装置に関するものである。
【背景技術】
【０００２】
従来、車両用の開閉体制御装置には、その開閉体を作動させるための操作入力を非接触で検出することが可能なものがある。例えば、特許文献１や特許文献２等には、開閉体となるスライドドアの下方に操作入力の検出領域を設定する構成が開示されている。そして、このような構成を採用することで、例えば、利用者の両手が荷物等で塞がっている場合であっても、その検出領域に足先を差し入れることによって、スライドドアを作動させることができる。
【先行技術文献】
【特許文献】
【０００３】
【特許文献１】特開２０１３−４９９５３号公報
【特許文献２】特許第４５７６８３７号公報
【発明の概要】
【発明が解決しようとする課題】
【０００４】
ところで、上記のように非接触で開閉体を作動させるための操作入力を検出する構成を採用した場合には、その誤作動の抑制が課題となる。即ち、検出感度を高めることで利便性が向上する一方、誤作動もまた発生しやすくなる。そこで、例えば、開閉体の周辺を含む判定エリアを設定する。更に、開閉体を作動させるための操作入力を検出した場合には、その操作要求がなされた開閉体を含む判定エリア内に、車両の操作権限を有した正規の乗員が位置するか否かを判定する。尚、この乗員判定は、例えば、正規の乗員が所持する携帯機と車両との間の無線通信等により行われる。そして、この判定エリア内に正規の乗員が位置する場合に、その非接触で行われた操作入力に基づく開閉体の作動を許可する方法が考えられる。
【０００５】
しかしながら、このような構成では、利用者が正規の乗員として認証されない場合、例えば、車両の同乗者である場合には、正規の乗員が車両の周辺にいたとしても、その非接触で行う操作入力により開閉体を作動させることができない。そして、これにより利便性の低下を招くおそれがあることから、この点において、なお改善の余地が残されていた。
【０００６】
本発明は、上記問題点を解決するためになされたものであって、その目的は、誤作動の発生を抑えつつ、利便性の向上を図ることのできる車両用開閉体制御装置を提供することにある。
【課題を解決するための手段】
【０００７】
上記課題を解決する車両用開閉体制御装置は、車両に設けられた開閉体の周辺に検出領域を有して前記開閉体を作動させるための操作入力を非接触で検出する操作入力検出部と、前記操作入力に基づいて前記開閉体を作動させる作動制御部と、前記操作入力がなされた前記開閉体の周辺を含んで設定された判定エリア内に操作権限を有した正規の乗員が位置するか否かを判定する乗員判定部と、前記判定エリア内に前記正規の乗員が位置する場合に前記操作入力に基づいた前記開閉体の作動を許可する許可判定部と、を備えるとともに、前記正規の乗員による許可操作を検出する許可操作検出部を備え、前記許可判定部は、前記許可操作が検出された場合には、前記判定エリア内に前記正規の乗員が位置していない場合においても、前記操作入力に基づいた前記開閉体の作動を許可する。
【０００８】
上記構成によれば、操作権限を有していない車両の同乗者もまた、非接触で行う操作入力によって、その開閉体を作動させることができるようになる。そして、正規の乗員による許可操作を作動要件とすることで、利便性の向上を図りつつ、その誤作動の発生を抑制することができる。加えて、高いセキュリティ性能を確保することができる。
【０００９】
上記課題を解決する車両用開閉体制御装置は、前記許可判定部は、前記許可操作が検出された後、所定の許可時間内に前記操作入力が検出された場合に、該操作入力に基づいた前記開閉体の作動を許可することが好ましい。
【００１０】
上記構成によれば、利便性の向上を図りつつ、効果的に、誤作動の発生を抑制することができる。
上記課題を解決する車両用開閉体制御装置は、前記正規の乗員による設定操作を検出する設定操作検出部を備え、前記許可判定部は、前記設定操作に基づき前記許可時間を変更することが好ましい。
【００１１】
上記構成によれば、利用状況に応じて適切な許可時間を設定することができる。そして、これにより、より効果的に、誤作動の発生を抑制することができる。
上記課題を解決する車両用開閉体制御装置は、前記開閉体は、前記車両のドアであって、前記検出領域は、前記ドアの下方に設定されることが好ましい。
【００１２】
上記構成によれば、操作権限を有していない車両の同乗者もまた、その非接触で行う足操作入力によって、車両のドアを作動させることができる。
上記課題を解決する車両用開閉体制御装置は、前記乗員判定部は、前記正規の乗員が保持する携帯機が前記判定エリア内にあることが検出された場合に、該判定エリア内に前記正規の乗員が位置すると判定することが好ましい。
【００１３】
上記構成によれば、携帯機を所持する者が操作権限を有した正規の乗員として認証される。そして、この正規の乗員が許可操作を実行することにより、携帯機を所持していない他の乗員もまた、その非接触で行う操作入力により開閉体を作動させることができる。
【００１４】
上記課題を解決する車両用開閉体制御装置は、前記乗員判定部は、前記操作入力がなされた前記開閉体を第１の開閉体とし、該第１の開閉体の周辺を含む前記判定エリアを第１の判定エリアとして、前記第１の開閉体とは異なる第２の開閉体の周辺を含んで設定された第２の判定エリア内に前記正規の乗員が位置するか否かを判定するとともに、前記許可操作検出部は、前記第２の判定エリア内に前記正規の乗員が位置する場合には、前記開閉体の許可操作を検出したとみなすことが好ましい。
【００１５】
即ち、車両の同乗者となる他の乗員が正規の乗員とともに乗降する際、互いに異なる開閉体を作動させる状況は、ままあることである。従って、上記構成のように、このような状況に合わせて、非接触で行う操作入力による開閉体の作動要件を緩和する。つまり、正規の乗員が他の開閉体の周辺に位置する場合、その非接触で検出された操作入力は、車両の同乗者によるものであると推定する。そして、これにより、誤作動の発生を抑制しつつ、より一層、その利便性を向上させることができる。
【発明の効果】
【００１６】
本発明によれば、誤作動の発生を抑えつつ、利便性の向上を図ることができる。
【図面の簡単な説明】
【００１７】
【図１】パワースライドドア装置の概略構成図。
【図２】車両の斜視図。
【図３】車両の平面図。
【図４】足操作入力の検出に基づいたスライドドアの作動制御の処理手順を示すフローチャート。
【図５】許可時間の設定操作の態様を示す説明図。
【図６】足操作入力の検出に基づいたスライドドアの作動制御に関する別例の処理手順を示すフローチャート。
【発明を実施するための形態】
【００１８】
以下、車両用開閉体制御装置をパワースライドドア装置に具体化した一実施形態を図面に従って説明する。
図１に示すように、本実施形態の車両１において、車体２に設けられたドア開口部３には、車両前後方向（図１中、左右方向）に移動することにより、そのドア開口部３を開閉可能な開閉体としてのスライドドア１０が設けられている。
【００１９】
具体的には、図２及び図３に示すように、本実施形態の車両１は、車体２の側面２ｓに設けられた左右合わせて４枚のサイドドア１１ａ〜１１ｄと、車体２の後端部２ｒに設けられたバックドア１１ｅと、を備えている。そして、本実施形態の車両１においては、その後部ドアを構成する車両後部の各サイドドア１１ｃ，１１ｄにスライドドア１０が採用されている。
【００２０】
尚、本実施形態の車両１において、フロントドアを構成する車両前部の各サイドドア１１ａ，１１ｂには、前端部分に設けられたヒンジ（図示略）を支点に回動するスイングドアが採用されている。そして、バックドア１１ｅには、上端部分を支点に回動する所謂跳ね上げドアが採用されている。
【００２１】
また、図１に示すように、本実施形態の車両１には、スライドドア１０としての構成を有した車両後部の各サイドドア１１ｃ，１１ｄを開閉駆動するドアアクチュエータ２０が設けられている。具体的には、このドアアクチュエータ２０は、ドアＥＣＵ２１により、その駆動源であるモータ２５の回転が制御される。そして、本実施形態の車両１においては、これにより、そのモータ２５の駆動力に基づきスライドドア１０の作動を制御することが可能なパワースライドドア装置３０が形成されている。
【００２２】
詳述すると、本実施形態のドアＥＣＵ２１には、車両１の各ドア１１（１１ａ〜１１ｅ）や車室内、車両１の乗員が所持する携帯機３１等に設けられた操作スイッチが操作されたことを示す操作入力信号Ｓｃｒが入力される。そして、本実施形態のドアＥＣＵ２１は、この操作入力信号Ｓｃｒに示される利用者の作動要求に基づいて、そのスライドドア１０の作動を制御する。
【００２３】
また、本実施形態のドアＥＣＵ２１は、車両１の各ドア１１に設けられたドアロック装置３５の作動を制御する。即ち、このドアＥＣＵ２１は、車両１のセキュリティ要件を満たすことを条件として、スライドドア１０に設けられたドアロック装置３５を開作動させる。そして、本実施形態のドアＥＣＵ２１は、これにより、このドアロック装置３５によるスライドドア１０の拘束が解除された状態で、そのドアアクチュエータ２０によるスライドドア１０の開閉制御を実行する構成になっている。
【００２４】
さらに詳述すると、本実施形態のドアＥＣＵ２１は、車内ネットワーク４０を介して認証ＥＣＵ４１と通信することにより、車両１の操作権限を有した正規の乗員Ｐｘに関する情報を取得する。具体的には、本実施形態の認証ＥＣＵ４１は、図示しない無線通信装置（アンテナ等）を介して車両１の周辺に位置する携帯機３１との間で無線通信を行うことにより、この携帯機３１が、その車両１と対になる正規の携帯機３１ｘであるか否かを判定する。即ち、本実施形態の車両１においては、正規の携帯機３１ｘを所持する者が、その車両１の操作権限を有した正規の乗員Ｐｘとして認証される（図３参照）。更に、本実施形態のドアＥＣＵ２１は、認証ＥＣＵ４１との通信により、その携帯機３１ｘに対して正規の乗員Ｐｘが行う操作入力を検出する。そして、この操作入力に示されるドアロック要求及びアンロック要求に基づいて、そのドアロック装置３５の作動を制御し、及びスライドドア１０の作動要求に基づいて、そのドアアクチュエータ２０の作動を制御する構成になっている。
【００２５】
また、図１に示すように、本実施形態の車両１は、スライドドア１０としての構成を有する各サイドドア１１ｃ，１１ｄの下方に設けられた近接センサ５０を備えている。具体的には、本実施形態の車両１において、この近接センサ５０には、静電容量センサ５１が用いられている。即ち、本実施形態の近接センサ５０は、当該近接センサ５０に対して検出対象物が接離（近接又は離間）することにより出力レベルが変化する構成になっている。更に、本実施形態の車両１においては、この近接センサ５０のセンサ出力ＳｈｆがドアＥＣＵ２１に入力されるようになっている。そして、本実施形態のドアＥＣＵ２１は、これにより、その利用者が行うスライドドア１０を作動させるための操作入力を非接触で検出することが可能になっている。
【００２６】
即ち、本実施形態のパワースライドドア装置３０は、上記近接センサ５０がスライドドア１０の下方に形成する検出領域αに対し、その利用者となる乗員Ｐが足先を差し入れることによっても、そのスライドドア１０を作動させることができる。尚、本実施形態のドアＥＣＵ２１は、スライドドア１０が全閉位置にある場合には、全開位置に移動させるべく、そのスライドドア１０の開作動制御を実行し、スライドドア１０が全開位置にある場合には、全閉位置に移動させるべく、そのスライドドア１０の閉作動制御を実行する。そして、本実施形態の車両１は、これにより、利用者の両手が荷物で塞がっているような場合であっても、上記のような足操作入力による所謂ハンズフリー操作を可能とすることで、その利便性の向上が図られている。
【００２７】
（足操作入力の検出によるスライドドアの作動制御）
次に、本実施形態のドアＥＣＵ２１が実行する足操作入力の検出によるスライドドア１０の作動制御について説明する。
【００２８】
図３に示すように、本実施形態の車両１において、図示しない無線通信装置とともに認証ＥＣＵ４１が形成する乗員認証システム６０（図１参照）は、スライドドア１０としての構成を有する車両後部の各サイドドア１１ｃ，１１ｄの周辺を含む範囲に、それぞれ独立した判定エリアβ（βｃ，βｄ）を形成する。具体的には、例えば、これらの判定エリアβは、乗員Ｐが所謂キーレスエントリーシステムを利用して車両１の施解錠を行う際、その照合判定を行う範囲と同程度に設定される。また、本実施形態のドアＥＣＵ２１は、上記のようにスライドドア１０の下方に設けられた近接センサ５０のセンサ出力Ｓｈｆに基づきスライドドア１０を作動させるための操作入力（足操作入力）を検出した場合には、その操作入力がなされたスライドドア１０の周辺を含んだ判定エリアβ内に正規の乗員Ｐｘが位置するか否かを判定する。そして、これに該当する判定エリアβ内に正規の乗員Ｐｘが位置する場合に、その近接センサ５０を用いて非接触で行われた利用者の操作入力に基づいて、当該操作入力がなされたスライドドア１０の作動を制御する構成になっている。
【００２９】
例えば、この図３に示す例において、正規の乗員Ｐｘが車両右後部のサイドドア１１ｃの下方に形成された検出領域αｃに足先を差し入れた場合には、この足操作入力に基づいて、そのサイドドア１１ｃの作動制御が実行される。即ち、この場合には、認証ＥＣＵ４１が実行する無線通信によって、その足操作入力がなされたサイドドア１１ｃ周辺の判定エリアβｃ内に携帯機３１ｘが位置することが検出される。そして、本実施形態のドアＥＣＵ２１は、これにより、その足操作入力に基づいたサイドドア１１ｃの作動を許可する構成になっている。
【００３０】
一方、同じく図３に示す例において、正規の乗員Ｐｘとは車両１の反対側（左側）に位置する他の乗員Ｐが、その車両左後部のサイドドア１１ｄの下方に形成された検出領域αｄに足先を差し入れた場合には、この足操作入力に基づいたサイドドア１１ｄの作動制御は実行されない。即ち、この場合、認証ＥＣＵ４１が実行する無線通信により特定される携帯機３１ｘの位置は、この携帯機３１ｘを所持した正規の乗員Ｐｘが位置するサイドドア１１ｃ周辺の判定エリアβｃであって、その足操作入力がなされたサイドドア１１ｄ周辺の判定エリアβｄではない。そして、本実施形態のドアＥＣＵ２１は、これにより、車両１の周辺に正規の乗員Ｐｘが位置すると判定される状況においても、その足操作入力がなされたサイドドア１１ｄ周辺の判定エリアβｄ内に正規の乗員Ｐｘが位置しない場合には、この足入力に基づいたサイドドア１１ｄの作動を許可しない構成になっている。
【００３１】
また、本実施形態のドアＥＣＵ２１は、このような足操作入力の検出時、正規の乗員Ｐｘに求める位置条件の例外として、その正規の乗員Ｐｘによる許可操作を検出する。具体的には、本実施形態の車両１において、正規の乗員Ｐｘが所持する携帯機３１ｘには、その許可操作を入力するための操作スイッチ６５が設けられている（図１参照）。尚、本実施形態の乗員認証システム６０は、この携帯機３１ｘの操作スイッチ６５を介して行われる許可操作について、そのスライドドア１０周辺に設定される上記判定エリアβよりも広い検出エリアを有している。つまり、正規の乗員Ｐｘは、その判定エリアβ外においても、許可操作を実行することができる。そして、本実施形態のドアＥＣＵ２１は、この許可操作が検出された場合には、その足操作入力がなされたスライドドア１０周辺の判定エリアβ内に正規の乗員Ｐｘが位置していない場合においても、その他の乗員Ｐｘにより行われた足操作入力に基づいたスライドドア１０の作動を許可する構成になっている。
【００３２】
即ち、図４のフローチャートに示すように、本実施形態のドアＥＣＵ２１は、利用者による足操作入力を検出すると（ステップ１０１：ＹＥＳ）、先ず、この足操作入力がなされたスライドドア１０周辺の判定エリアβ内に正規の乗員Ｐｘが位置するか否か、詳しくは、その所持する携帯機３１ｘが位置するか否かを判定する（ステップ１０２）。そして、この足操作入力がなされたスライドドア１０周辺の判定エリアβ内に正規の乗員Ｐｘが位置する場合（ステップ１０２：ＹＥＳ）に、その足操作入力に基づいたスライドドア１０の作動を許可して（ステップ１０３）、当該スライドドア１０の作動制御を実行する構成になっている（ステップ１０４）。
【００３３】
一方、ドアＥＣＵ２１は、上記ステップ１０２において、足操作入力がなされたスライドドア１０周辺の判定エリアβ内に正規の乗員Ｐｘが位置していないと判定した場合（ステップ１０２：ＮＯ）には、その位置を問わず、携帯機３１ｘとの無線通信により、正規の乗員Ｐｘが検出可能であるか否かを判定する（ステップ１０５）。更に、ドアＥＣＵ２１は、正規の乗員Ｐｘが検出されている場合（ステップ１０５：ＹＥＳ）には、その携帯機３１ｘの操作スイッチ６５を用いた正規の乗員Ｐｘによる許可操作が検出されているか否かを判定する（ステップ１０６）。そして、許可操作が検出されている場合（ステップ１０５：ＹＥＳ）にも、上記ステップ１０３及びステップ１０４を実行することにより、その足操作入力に基づいたスライドドア１０の作動を許可して当該スライドドア１０の作動制御を実行する構成になっている。
【００３４】
また、本実施形態のパワースライドドア装置３０は、正規の乗員Ｐｘが許可操作を行う際、併せて、その許可時間ｔを設定することが可能になっている。即ち、作動対象となるスライドドア１０周辺の判定エリアβ内に正規の乗員Ｐｘがいない場合には、当該正規の乗員Ｐｘによる許可操作の検出後、この正規の乗員Ｐｘが設定する許可時間ｔ内に限定して、他の乗員Ｐによる足操作入力が許可される。そして、この許可時間ｔが経過した後は、再び、他の乗員Ｐによる足操作入力が許可されなくなる構成になっている。
【００３５】
詳述すると、図５に示すように、本実施形態のドアＥＣＵ２１は、上記許可時間ｔの設定操作として、正規の乗員Ｐｘが携帯機３１ｘの操作スイッチ６５を操作した回数を検出する。そして、この検出された操作回数ｎに基づいて、その設定する許可時間ｔを変更する構成となっている。
【００３６】
具体的には、本実施形態のドアＥＣＵ２１は、基本的に、正規の乗員Ｐｘが行う操作スイッチ６５の操作回数ｎが多いほど（ｎ１＜ｎ２）、その許可時間ｔをより長い値に設定する（例えば、ｔ１＜ｔ２）。また、ドアＥＣＵ２１は、操作スイッチ６５の操作回数ｎが所定回数Ｘに達した場合には（ｎ＝Ｘ）、許可時間ｔによる制限を解除する（ｔ＝∞）。更に、ドアＥＣＵ２１は、操作スイッチ６５が更にもう一度操作された場合（ｎ＝Ｘ＋１）、その許可時間ｔを「０」として（ｔ＝０）、他の乗員Ｐによる足操作入力を許可しない状態に移行する。つまり、正規の乗員Ｐｘは、これにより、その許可操作を取り消すことができる。そして、本実施形態のドアＥＣＵ２１は、これに併せ、その操作スイッチ６５の操作回数ｎをクリア（ｎ＝０）する構成になっている。
【００３７】
以上、本実施形態によれば、以下のような効果を得ることができる。
（１）操作入力検出部７０ａ及び作動制御部７０ｂとしてのドアＥＣＵ２１は、スライドドア１０の下方に形成された検出領域αに対する足操作入力を非接触で検出することにより、そのスライドドア１０を作動させる。具体的には、乗員判定部７０ｃ及び許可判定部７０ｄとしてのドアＥＣＵ２１は、足操作入力がなされたスライドドア１０（１１ｃ）の周辺を含んだ判定エリアβ（βｃ）内に操作権限を有した正規の乗員Ｐｘが位置する場合に、その足操作入力に基づいたスライドドア１０の作動を許可する。また、許可操作検出部７０ｅとしてのドアＥＣＵ２１は、正規の乗員Ｐｘによる許可操作を検出する。そして、許可判定部７０ｄとしてのドアＥＣＵ２１は、正規の乗員Ｐｘによる許可操作が検出された場合には、足操作入力がなされたスライドドア１０（１１ｄ）周辺の判定エリアβ（βｄ）内に正規の乗員Ｐｘが位置していない場合においても、その足操作入力に基づいたスライドドア１０の作動を許可する。
【００３８】
上記構成によれば、操作権限を有していない車両１の同乗者もまた、非接触で行う足操作入力による所謂ハンズフリー操作によって、そのスライドドア１０を作動させることができるようになる。そして、正規の乗員Ｐｘによる許可操作を作動要件とすることで、利便性の向上を図りつつ、その誤作動の発生を抑制することができる。加えて、高いセキュリティ性能を確保することができる。
【００３９】
（２）許可判定部７０ｄとしてのドアＥＣＵ２１は、正規の乗員Ｐｘによる許可操作が検出された後、所定の許可時間ｔ内に足操作入力が検出された場合に、その足操作入力に基づいたスライドドア１０の作動を許可する。これにより、利便性の向上を図りつつ、効果的に、誤作動の発生を抑制することができる。
【００４０】
（３）設定操作検出部７０ｆとしてのドアＥＣＵ２１は、携帯機３１ｘに設けられた操作スイッチ６５の操作回数ｎを正規の乗員Ｐｘによる設定操作として検出する。そして、許可判定部７０ｄとしてのドアＥＣＵ２１は、検出された設定操作に基づいて、その許可時間ｔを変更する。
【００４１】
上記構成によれば、利用状況に応じて適切な許可時間ｔを設定することができる。そして、これにより、より効果的に、誤作動の発生を抑制することができる。
なお、上記実施形態は以下のように変更してもよい。
【００４２】
・上記実施形態では、車両用開閉体制御装置を車両１のパワースライドドア装置３０に具体化した。しかし、これに限らず、例えば、駆動源を有して開閉動作する所謂パワーバックドア装置を備え、その下方に設定された検出領域α（αｅ）に対する足操作入力に基づいてバックドア１１ｅ（図２参照）が作動する構成に適用してもよい。また、非接触で行う操作入力によって、スライドドア１０以外のサイドドアや、ボンネット、トランク、或いはフューエルリッド等、車両に設けられたその他の開閉体が作動するものに適用してもよい。そして、このような非接触で行う操作入力により作動する開閉体の数についてもまた、任意に変更してもよい。
【００４３】
・上記実施形態では、足操作入力の検出領域αを形成する近接センサ５０には、静電容量センサ５１が用いられることとした。しかし、これに限らず、スライドドア１０の下方に形成された検出領域αに足先を差し入れることによりセンサ出力Ｓｈｆが変化するものであれば、近接センサ５０の型式については、任意に変更してもよい。例えば、アンテナを用いる電波式のものや、光学式のもの、或いは赤外線センサや超音波センサを用いるものであってもよい。
【００４４】
・また、車両１のスライドドア１０を作動させるべく利用者が行う操作入力を非接触で検出することにより所謂ハンズフリー操作を可能とする構成であれば、その操作入力の検出領域αは、必ずしもスライドドア１０の下方に設定しなくともよい。例えば、スライドドア１０の外表面近傍、ベルトライン付近等に操作入力の検出領域αを形成する構成あってもよい。即ち、スライドドア１０の周辺に検出領域αを有して操作入力を非接触で検出可能であればよい。そして、例えばハンドモーション等、カメラを用いた画像解析により、利用者の操作入力を検出する構成に適用してもよい。
【００４５】
・上記実施形態では、無線通信により、車両１と対になる正規の携帯機３１ｘを所持する者が操作権限を有した正規の乗員Ｐｘとして認証されることとした。しかし、これに限らず、例えば、画像解析による顔認証等により正規の乗員Ｐｘを認証する構成に適用してもよい。
【００４６】
・上記実施形態では、正規の乗員Ｐｘによる許可操作が検出されることを条件に、足操作入力がなされたスライドドア１０（１１ｄ）周辺の判定エリアβ（βｄ）内に正規の乗員Ｐｘが位置していない場合においても、他の乗員Ｐによる足操作入力に基づいたスライドドア１０の作動が許可されることとした。
【００４７】
しかし、これに限らず、乗員判定部７０ｃとしてのドアＥＣＵ２１は、例えば、足操作入力がなされたドア１１（図３参照、サイドドア１１ｄ）を第１の開閉体とし、当該第１の開閉体の周辺を含む判定エリアβ（βｄ）を第１の判定エリアとするとともに、この第１の開閉体とは異なる車両１のドア１１（サイドドア１１ｃ）を第２の開閉体とする。更に、この第２の開閉体となるドア１１（１１ｃ）の周辺を含んで設定された判定エリアβ（βｃ）を第２の判定エリアとして、当該第２の判定エリア内に正規の乗員Ｐｘが位置するか否かを判定する。そして、許可操作検出部７０ｅとしてのドアＥＣＵ２１は、この第２の判定エリア内に正規の乗員Ｐｘが位置する場合に、当該正規の乗員Ｐｘによる許可操作を検出したとみなす構成としてもよい。
【００４８】
具体的には、図６のフローチャートに示すように、ドアＥＣＵ２１は、足操作入力がなされたスライドドア１０（１１ｄ）周辺の判定エリアβ（βｄ）内に正規の乗員Ｐｘが位置していない場合（ステップ２０２：ＮＯ）には、他のドア１１周辺の判定エリアβ内に正規の乗員Ｐｘが位置しているか否かを判定する（ステップ２０５）。尚、この場合、その第２の判定エリアに対応した第２の開閉体となる車両１のドア１１は、その足操作入力がなされたスライドドア１０（１１ｄ）以外の何れのドア１１であってもよい。そして、その第２の判定エリアとなる判定エリアβ（βｃ）内に正規の乗員Ｐｘが位置している場合（ステップ２０５：ＹＥＳ）にも、その足操作入力に基づいたスライドドア１０（１１ｄ）の作動を許可して（ステップ２０３）、当該スライドドア１０の作動制御を実行する構成にするとよい（ステップ２０４）。
【００４９】
即ち、車両１の同乗者となる他の乗員Ｐが正規の乗員Ｐｘとは異なるドア１１から車両１に乗降する等、乗降時、正規の乗員Ｐｘと他の乗員Ｐとが、互いに異なる開閉体を作動させる状況は、ままあることである。この点を踏まえ、上記構成のように、非接触での操作入力によるスライドドア１０の作動要件を緩和する。つまり、正規の乗員Ｐｘが他のドア１１の周辺に位置する場合、その非接触で検出された操作入力は、車両１の同乗者によるものであると推定する。そして、これにより、誤作動の発生を抑制しつつ、より一層、その利便性を向上させることができる。
【００５０】
・また、反対に、足操作入力がなされたスライドドア１０以外のドア１１の周辺を含む何れかの判定エリアβ内に正規の乗員Ｐｘが位置していることを、許可操作を検出する前提条件として、他の乗員Ｐの足操作入力によるスライドドア１０の作動要件を厳格化する構成としてもよい。これにより、より効果的に、その誤作動の発生を抑制することができる。そして、この場合、仮に誤作動が発生した場合であっても、他のドア１１近傍に位置する正規の乗員Ｐｘが、速やかに、そのスライドドア１０の作動を停止させることができるという利点がある。
【００５１】
・更に、位置判定部７０ｇとしてのドアＥＣＵ２１は、車両１の周辺における正規の乗員Ｐｘの位置を特定する。そして、許可判定部７０ｄとしてのドアＥＣＵ２１は、足操作入力がなされたスライドドア１０と同じ方向に正規の乗員Ｐｘが位置する場合には、その足操作入力がなされたスライドドア１０周辺の判定エリアβ内に正規の乗員Ｐｘが位置していない場合においても、その足操作入力に基づいたスライドドア１０の作動を許可する構成としてもよい。
【００５２】
即ち、例えば、他の乗員Ｐが車両左後部のサイドドア１１ｄを対象として、このスライドドア１０（１１ｄ）を足操作入力に作動させようとした場合、正規の乗員Ｐｘが、このスライドドア１０と同じ車両１の左側に位置する場合に、その足操作入力によるスライドドア１０の作動が許可される。
【００５３】
このような構成を採用することで、誤作動の発生を抑制しつつ、より一層、その利便性を向上させることができる。そして、この場合についてもまた、仮に誤作動が発生した場合であっても、この誤作動したスライドドア１０と同一方向において、その車両の周辺に位置する正規の乗員Ｐｘが、速やかにスライドドア１０の作動を停止させることができる。加えて、正規の乗員Ｐｘが、その足操作入力の対象となるスライドドア１０を視認可能な位置にいることで、高いセキュリティ性能を確保することができるという利点がある。
【００５４】
・上記実施形態では、正規の乗員Ｐｘによる許可操作及び許可時間ｔの設定操作は、その所持する携帯機３１ｘに設けられた操作スイッチ６５を操作することにより行われることとした。しかし、これに限らず、許可操作や設定操作の検出についてもまた、例えばハンドモーション等、カメラを用いた画像解析により行う構成としてもよい。
【００５５】
・上記実施形態では、携帯機３１ｘに設けられた操作スイッチ６５の操作回数ｎに基づいて、足操作入力の許可時間ｔを変更可能としたが、その許可時間ｔが固定された構成としてもよい。そして、このような許可時間ｔを設定することなく、正規の乗員Ｐｘによる許可操作が検出された場合には、無制限に、その他の乗員Ｐによる足操作入力に基づいたスライドドア１０の作動を許可する構成としてもよい。
【００５６】
・また、開作動又は閉作動の何れか一方について、その足操作入力に基づいたスライドドア１０の作動を許可する構成であってもよい。そして、例えば、閉作動については、正規の乗員Ｐｘによる許可操作を要しない構成とする等としてもよい。
【００５７】
・上記実施形態及び別例では、制御装置としてのドアＥＣＵ２１が、操作入力検出部７０ａ、作動制御部７０ｂ、乗員判定部７０ｃ、許可判定部７０ｄ、許可操作検出部７０ｅ、設定操作検出部７０ｆ、及び位置判定部７０ｇとしての機能を有することとした。しかし、これに限らず、このような制御装置が複数の情報処理装置に分散されたかたちで形成される構成であってもよい。そして、上記各機能制御部もまた、これらの各情報処理装置に分散されていてもよい。
【００５８】
次に、以上の実施形態から把握することのできる技術的思想を効果とともに記載する。
（イ）前記操作入力検出部は、前記ドアの下方に設けられた近接センサの出力信号に基づいて前記開閉体の操作入力を検出すること、を特徴とする車両用開閉体制御装置。これにより、ドアの下方に非接触で行う操作入力の検出領域を形成することができる。
【００５９】
（ロ）前記車両の周辺における前記正規の乗員の位置を特定する位置特定部を備え、前記許可判定部は、前記正規の乗員が前記操作入力がなされた前記開閉体と同じ方向に位置する場合には、前記判定エリア内に前記正規の乗員が位置していない場合においても、前記操作入力に基づいた前記開閉体の作動を許可すること、を特徴とする車両用開閉体制御装置。
【００６０】
上記構成によれば、誤作動の発生を抑制しつつ、より一層、その利便性を向上させることができる。そして、仮に誤作動が発生した場合であっても、この誤作動した開閉体と同一方向において、その車両の周辺に位置する正規の乗員が、速やかに開閉体の作動を停止させることができる。加えて、正規の乗員が、その非接触で行う操作入力の対象となる開閉体を視認可能な位置にいることで、高いセキュリティ性能を確保することができるという利点がある。
【符号の説明】
【００６１】
１…車両、２…車体、２ｓ…側面、２ｒ…後端部、３…ドア開口部、１０…スライドドア、１１…ドア、１１ａ〜１１ｄ…サイドドア、１１ｅ…バックドア、２０…ドアアクチュエータ、２１…ドアＥＣＵ、２５…モータ、３０…パワースライドドア装置、３１，３１ｘ…携帯機、３５…ドアロック装置、４０…車内ネットワーク、４１…認証ＥＣＵ、５０…近接センサ、５１…静電容量センサ、６０…乗員認証システム、６５…操作スイッチ、７０ａ…操作入力検出部、７０ｂ…作動制御部、７０ｃ…乗員判定部、７０ｄ…許可判定部、７０ｅ…許可操作検出部、７０ｆ…設定操作検出部、７０ｇ…位置判定部、α（αｃ，αｄ）…検出領域、β（βｃ，βｄ）…判定エリア、Ｐ…乗員、Ｐｘ…正規の乗員、ｔ…許可時間、ｎ…操作回数、Ｘ…所定回数、Ｓｃｒ…操作入力信号、Ｓｈｆ…センサ出力。
【図１】
2018178556.tif 000003
【図２】
2018178556.tif 000004
【図３】
2018178556.tif 000005
【図４】
2018178556.tif 000006
【図５】
2018178556.tif 000007
【図６】
2018178556.tif 000008